(57)【要約】【課題】水槽の最低水位の設定機能を備えた簡易設置型水槽を提供する。【解決手段】この考案の簡易設置型水槽は、底面を下流側に下降傾斜する傾斜面９とし、上流側に給水口７及び浄水返送口１９を備えた飼育槽２を設けている。そして下流側には、飼育槽２より導入された水を浄化してポンプ１７と浄水返送口１９を介して飼育槽２に返送する浄化装置１６と下部ドレン１３ｂとを併設した調整槽５を設けている。  また傾斜面９は、水流が調整槽５の取水口８方向に向かうように奥行方向にも傾斜面を形成するとともに、傾斜面９の下流側において取水口８部分が傾斜面９の最下部又はその近傍となるように設定している。  さらに飼育槽２の水を導入し飼育槽２の最低水位を設定する上部が開口して開口高さを調節可能に構成された水位調節管１１を調整槽５内に設けている。【選択図】図１
0003122543.tif 000002
【実用新案登録請求の範囲】
【請求項１】
底面を下流側に下降傾斜する傾斜面（９）とし、上流側に給水口（７）及び浄水返送口（１９）を設けた飼育槽（２）を設け、下流側に飼育槽（２）より導入された水を浄化してポンプ（１７）と浄水返送口（１９）を介して飼育槽（２）に返送する浄化装置（１６）と下部ドレン（１３ｂ）とを併設した調整槽（５）を設けてなる簡易設置型水槽。
【請求項２】
上記傾斜面（９）は、水流が調整槽（５）の取水口（８）方向に向かうように奥行方向にも傾斜面を形成するとともに、傾斜面（９）の下流側において取水口（８）部分が傾斜面（９）の最下部又はその近傍となるように設定した請求項１の簡易設置型水槽。
【請求項３】
飼育槽（２）の水を導入し飼育槽（２）の最低水位を設定する水位調節管（１１）を調整槽（５）内に設けた請求項１又は２の簡易設置型水槽。
【請求項４】
水位調節管（１１）は下部が密閉され且つ飼育槽（２）と連通し、上部が開口して開口高さを調節可能に構成された請求項３の簡易設置型水槽。
【請求項５】
調整槽（５）は仕切板（６ａ）によって飼育槽（２）と区画され、該仕切板（６ａ）には飼育槽（２）が上限水位に達した際に飼育槽（２）の水を調整槽（５）に排出するオーバーフロー部（１２）を設けてなる請求項１，２，３又は４の簡易設置型水槽。
【請求項６】
調整槽（５）に調整槽（５）が上限水位に達した際に調整槽（５）の水を外部に排水する上部ドレン（１３ａ）を設けてなる請求項１，２，３，４又は５の簡易設置型水槽。
【考案の詳細な説明】
【技術分野】
【０００１】
本考案は、水槽の最低水位の設定機能を備えた簡易設置型水槽に関する。
【背景技術】
【０００２】
従来の水槽としては、同一ケース内に飼育水槽，濾過槽，ポンプを設置し、浄化処理をしながら水を循環させるものが知られている（例えば、特許文献１参照。）。
【０００３】
【特許文献１】実開平２−５２５６５号公報
【考案の開示】
【考案が解決しようとする課題】
【０００４】
しかし上記特許文献１の水槽は、水の返送口と取水口がともに水槽の上部にあるために、水の循環効率が悪く、飼育水槽内に滞留水を発生させるなど、飼育水槽内の水を十分に浄化処理できないという問題があった。また水位を調節することができないので、貝類，カニ・ザリガニ等の甲殻類，カメ・ヤモリ等の爬虫類，カエル・イモリ等の両生類の飼育に用いることはできなかった。
【課題を解決するための手段】
【０００５】
上記課題を解決するための本考案の簡易設置型水槽は、第１に、底面を下流側に下降傾斜する傾斜面９とし、上流側に給水口７及び浄水返送口１９を設けた飼育槽２を設け、下流側に飼育槽２より導入された水を浄化してポンプ１７と浄水返送口１９を介して飼育槽２に返送する浄化装置１６と下部ドレン１３ｂとを併設した調整槽５を設けてなることを特徴としている。
【０００６】
第２に、上記傾斜面９は、水流が調整槽５の取水口８方向に向かうように奥行方向にも傾斜面を形成するとともに、傾斜面９の下流側において取水口８部分が傾斜面９の最下部又はその近傍となるように設定したことを特徴としている。
【０００７】
第３に、飼育槽２の水を導入し飼育槽２の最低水位を設定する水位調節管１１を調整槽５内に設けたことを特徴としている。
【０００８】
第４に、水位調節管１１は下部が密閉され且つ飼育槽２と連通し、上部が開口して開口高さを調節可能に構成されたことを特徴としている。
【０００９】
第５に、調整槽５は仕切板６ａによって飼育槽２と区画され、該仕切板６ａには飼育槽２が上限水位に達した際に飼育槽２の水を調整槽５に排出するオーバーフロー部１２を設けてなることを特徴としている。
【００１０】
第６に、調整槽５に調整槽５が上限水位に達した際に調整槽５の水を外部に排水する上部ドレン１３ａを設けてなることを特徴としている。
【考案の効果】
【００１１】
以上のように構成される本考案の簡易設置型水槽は、浄水の供給側である上流側から下流側に向けて下降傾斜する傾斜面を形成することによって、下流側へ向けて水流を作り出すことができるので、水の循環効率を向上させ、その流水によって底部の沈殿物も排出することができる。
【００１２】
また調整槽内に設けられたろ過装置によって浄化された水を上流側上部に設置された水の浄水返送口から飼育層内に戻すことができるので、浄水の給水口と併せて更に水の循環を効率良くすることができる。
【００１３】
さらに水位調節管を設けることによって最低水位が確保できるので、水交換の際に飼育生物にストレスを与えることなく水交換ができるほか、水位を下段に設定することによって、貝類，カニ・ザリガニ等の甲殻類，カメ等の爬虫類，カエル・イモリ等の両生類などを飼育することができる。
【考案を実施するための最良の形態】
【００１４】
以下本考案の簡易設置型水槽を図面に基づき説明する。図１は全体斜視図，図２は平面図，図３は図２のＸ−Ｘ断面図，図４は図２のＹ−Ｙ断面図である。簡易設置型水槽１は飼育槽２と調整槽５とが一体的に形成されている。また調整槽５は排水槽３と浄水槽４とから構成されている。簡易設置型水槽１の大きさは飼育生物に応じた大きさとし、その設置場所としては排水設備のある庭や土間，マンションのベランダとし、材質としてはモルタル，ＦＲＰ（繊維強化プラスチック）など設置場所の荷重条件に応じて適宜使用するものとする。また飼育槽２と調整槽５は仕切板６ａによって仕切られ、排水槽３と浄化槽４は仕切板６ｂによって仕切られている。
【００１５】
図１に示すように飼育槽２の背面側上部（図２においては右側）には、水道水等からの水を供給するための給水口７が設けられており、排水槽３の底面側には取水口８に向かって水が流れるように、下降傾斜する傾斜面９が形成されている。さらに傾斜面９は滞留水，死に水を防止するために、奥行方向にも傾斜面が形成され、取水口８付近が最下部となるように設定されている。よって水を排水槽３の下部に形成された取水口８に効率よく誘導することができるとともに、その流水によって底部の沈殿物等を容易に排出することができる。
【００１６】
排水槽３には水位調節管１１が設けられており、該水位調節管１１は取水口８を介して飼育槽２と連通した下部の固定部１１ａと、着脱可能に構成された上部の可動部１１ｂ，１１ｃとの３段構成となっている。固定部１１ａ，可動部１１ｂ，１１ｃとの固定はネジ溝を形成した接合式とすることによって、容易に着脱することができる。また最上部の可動部１１ｃの上部には蓋１１ｄを取付けることができる構成となっている。
【００１７】
飼育槽２と排水槽３との間の仕切板６ａの上部には飼育槽２の水が溢れるのを防止するオーバーフロー孔（部）１２が穿設されている。排水槽３の前面側上部（図２の左側，図３の左側上部）にはオーバーフロー時の水を外部に排出するための上部ドレン１３ａが、下部には水の交換時等に用いられる調節バルブを備えた下部ドレン１３ｂがそれぞれ設けられている。また排水槽３と浄化槽４との間の仕切板６ｂの下部には、排水槽３から浄化槽４側に水を移動させるための連通孔１４が穿設されている。
【００１８】
浄化槽４内に交換可能なカートリッジ式の濾材を備えた浄化装置１６が設置されており、濾材は下部に目の粗い濾材１６ａを設置し、上部に目の細かい濾材１６ｂを設置することにより夾雑物を除去し、併せて濾材１６ｂに付着する生物膜（図示しない）により有機物を吸収・消化し、水を浄化することができる。そして浄化装置１６の上部に設けられたポンプ１７によって浄化装置１６の下部より水を吸い上げる構成となっている。浄化装置１６の上部のポンプ１７には浄化された水の返送用のパイプ１８が設けられており、該パイプ１８の先端には浄水返送口１９が設けられている。
【００１９】
また飼育槽２の上縁に魚の飛び出し防止部材等（図示しない）が設けられている。そして水位調整槽３側の飛び出し防止突起部分の２〜３カ所にエアレーション（エアポンプと細かい孔を多数備えたエアストーン等によって水槽内に空気（酸素）を供給すること）用の管を通す穴（図示しない）が穿設されている。
【００２０】
次に基本的な水の流れを図１〜４に基づき説明する。ここで水の供給側（給水口７側）を上流側とし、水の排出側（調整槽５側）を下流側とする。上流側の給水口７より供給された水は矢印ｆ1に示すように、一旦傾斜面９に落ちたあと、その傾斜に応じて、下流側の排水槽３下部の取水口８方向に誘導される。
【００２１】
取水口８より水位調節管１１の固定部１１ａに誘導された水は設定された最低水位（Ｌ2又はＬ3又はＬ4）まで飼育槽２内の水位と同時に上昇する。そしてさらに水を供給することによって水位調節管１１の固定部１１ａ又は可動部１１ｂ，１１ｃの上端より水が溢れ出し、矢印ｆ2に示すように、排水槽３内に落下し、連通孔１４を通って浄化槽４側に誘導される。
【００２２】
浄化槽４に誘導された水は浄化装置１６を通ってポンプ１７によって吸い上げられる。浄化された水は矢印ｆ3に示すようにパイプ１８を通って上流側に設けられた浄水返送口１９より飼育槽２の上流側に返送される。そして矢印ｆ3に示すように再度取水口８方向に誘導される構成となっている。よって滞留水や死に水を発生させることなく効率良く水を循環させることができる。矢印ｆ4は後述するオーバーフロー時や掃除の際の水の流れを示したものである。
【００２３】
次に水流を模式的に示した図５に基づき、通常運転時の水の流れを説明する。矢印は水の流れを示し、グレー部分は水を表し、下部ドレン１３ｂに示した黒色は下部ドレンのクローズド状態を示している。最初に下部ドレン１３ｂをクローズドにし、水を給水口７より矢印Ｓ1方向に給水する。
【００２４】
供給された水がＳ2方向に誘導され、取水口８より水位調節管１１内に誘導され（Ｓ3方向）、水位調節管１１の最上段の可動部１１ｃの上端位置（水位Ｌ2）より水が溢れ出し排水槽３内に水が供給される。この時、水位調節管１１の可動部１１ｃを取り外し、水位調節管１１の可動部１１ｂを最上段にすることにより飼育槽２内の最低水位をＬ3に設定することができる。
【００２５】
図５の（Ｂ）に示すように排水槽３内から浄化槽４内に誘導され水はポンプ１７によって浄化装置１６内を通ってＳ4方向に吸い上げられる。そしてパイプ１８を通じて、飼育槽２内に返送される（Ｓ5方向）。飼育槽２内に戻された水は矢印Ｓ6に示すように循環し、図５の（Ａ）の状態に戻り再度水が循環する。
【００２６】
このとき水槽１内の水は、水を循環させるために一定量以上は確保する必要がする。また供給口７からの水の供給がなく、時間の経過とともに水槽１内の水が蒸発するなどして、調整槽５内の水がなくなり、水が循環しなくなった場合であっても、水位調節管１１によって飼育槽２内の最低水位を確保することができるという利点がある。
【００２７】
また図５の（Ａ）に示した若干濃いグレー部分は、水を供給し続けたオーバーフロー時の水の状態を示しており、水を供給し続けると水位調節管１１で設定された水位を超えて、Ｓ7方向に水位が上昇し水位Ｌ1を越えると、オーバーフロー孔１２を通って（Ｓ8方向，ｆ4方向）、排水槽３内に流れ、常に開放状態の上部ドレン１３ａより、水槽１の外に設置された側溝等の排水設備に排出される（Ｓ9方向，ｆ4方向）構成となっている。
【００２８】
図６は水面に浮いた汚れを排出する工程を示したものである。まず水位調節管１１の可動部１１ｃの上端に蓋１１ｄをする（図中の黒色部分）。次に下部ドレン１３ｂを開放すると、排水槽３内と浄化槽４内の水が下部ドレン１３ｂを通じて外部に排出される（Ｓ10方向）。但しポンプ１７は停止しておく。そして給水口７より水を供給する（Ｓ11方向）ことによって飼育槽２内の水位をＳ12方向に上昇させる。上昇した水は水位Ｌ1を越えるとオーバーフロー孔１２を通じて（Ｓ13方向，ｆ4方向）排水槽３内に誘導され、下部ドレン１３ｂによって水面の汚れた水が容易に排出される（Ｓ10方向，ｆ4方向）構成となっている。
【００２９】
図７は水を交換する際の工程を示したものである。まず下部ドレン１３ｂを開放し、排水槽３内及び浄化槽４内の水をＳ14方向（ｆ4方向）に排出する。但しポンプ１７は停止しておく。次に水位調節管１１の可動部１１ｂ，１１ｃを取り外すと、飼育槽２内の水が排水槽３内の水位と同じ高さに達するまで飼育槽２の水位がＳ15方向に下降する。
【００３０】
そして取水口８を通って（Ｓ16方向）水位調節管１１内に移動し、飼育槽２内の下降した水圧によって固定部１１ａの上端から水が噴き出し（Ｓ17方向）、飼育槽２内の水が容易に排出され（Ｓ14方向，ｆ4方向）、水を効率良く交換することができる。この時、飼育槽２内の水位は水位調節管１１の固定部１１ａの上端に設定されているので、最低水位Ｌ4を確保することができ、飼育生物を他の場所に移動させること無く、容易に水を交換できる利点がある。また水交換を半分程度とする場合は、水位調節管１１の可動部１１ｃのみを取り外すことによって水位をＬ3に設定し、水を節約した交換をすることができる。
【００３１】
以上のように構成される簡易設置型水槽１は地上設置型とすることにより、車庫，庭の空いたスペース等を有効に利用することができるほか、従来の掘削形式の池とは異なり子供の転落事故を防止することもできる。また池を掘るよりも廉価であるほか、清掃等のメンテナンスも容易であり、マンションのベランダ等にも設置でき、設置後場所の移動ができるという利点がある。
【００３２】
用途としては観賞用鯉・淡水魚の飼育、人口海水による海水魚の飼育、ヤマメ・イワナ・アユ等の養殖，飲食店等での展示、学校等での情操教育に用いることができる。
【００３３】
本考案の簡易設置型水槽は上記態様に限らず、自由に変更可能である。特に水位調節管は３段のみでなく、スライド調節可能に構成することにより自由に最低水位を設定することもできる。また水位調節管を飼育槽側を除く調整槽の外周壁に取付けることにより、常時流水によって水位の自動調節機能を付加することもできる。さらに電熱線を内蔵することによって温度管理が可能となり、熱帯魚を飼育することもできる。
【産業上の利用可能性】
【００３４】
本考案の簡易設置型水槽は、観賞用・展示用・養殖用等の水生生物の飼育に用いることができるほか、水生植物の飼育や各種研究施設での水生動植物を研究するための実験器具としても利用することができる。
【図面の簡単な説明】
【００３５】
【図１】本考案の簡易設置型水槽の全体斜視図である。
【図２】本考案の簡易設置型水槽の平面図である。
【図３】本考案の図２のＸ−Ｘ断面図である。
【図４】本考案の図２のＹ−Ｙ断面図である。
【図５】（Ａ），（Ｂ）は、本考案の簡易設置型水槽の通常運転時の水の流れを模式的に示す側面図である。
【図６】本考案の簡易設置型水槽の水面に浮いた汚れを排出する際の水の流れを模式的に示す右側面図である。
【図７】本考案の簡易設置型水槽の水を交換する際の水の流れを模式的に示す右側面図である。
【符号の説明】
【００３６】
１      水槽
２      飼育槽
３      排水槽
４      浄化槽
５      調整槽
７      給水口
８      取水口
９      傾斜面
１１    水位調節管
１２    オーバーフロー孔（部）
１３ａ  上部ドレン
１３ｂ  下部ドレン
１４    連通孔
１６    濾過装置
１７    ポンプ
１８    パイプ
１９    浄水返送口
【図１】
0003122543.tif 000003
【図２】
0003122543.tif 000004
【図３】
0003122543.tif 000005
【図４】
0003122543.tif 000006
【図５】
0003122543.tif 000007
【図６】
0003122543.tif 000008
【図７】
0003122543.tif 000009